(57)【要約】 【課題】  ユーザに煩わしい操作を強いることなく、不測の事態による重要なシーンの見逃し頻度を低減することができる放送番組受信視聴機能並びに通信機能を備えた携帯端末、この携帯端末を用いた放送番組自動記録制御方法、及びプログラムを提供する。【解決手段】  携帯端末１００は、総視聴時間Ｔｔが第１の閾値ＴＦ１を超えた放送番組については、当該放送番組の視聴意志はあるが、何らかの事情で充分に視聴できなくなるおそれもあるとして、「録画開始コマンド」を送信してＳＴＢ２００を録画動作させ、総視聴時間Ｔｔが第１の閾値ＴＦ１を超えた時点から番組の終わりまで録画して残す。  その上で、携帯端末１００は、総視聴時間Ｔｔが第２の閾値ＴＦ０を超えた放送番組についは、当該放送番組は概ね視聴できたとみなし、ＳＴＢ２００から記録消去する。【選択図】  図１
2006101018.tif 000002
【特許請求の範囲】
【請求項１】
放送番組を受信出力する放送番組受信視聴機能、及び通信ネットワークを介しての通信機能を備えた携帯端末であって、
視聴を行った放送番組の視聴時間を計測して記録する視聴時間記録手段と、
視聴時間に関しての閾値が設定記録されている閾値記録手段と、
前記視聴時間記録手段に記録されている放送番組の視聴時間と、該閾値記録手段に設定記録されている閾値とを比較する視聴時間比較手段と、
該視聴時間比較手段の比較結果に基づいて、放送番組の受信・記録機能を備えたＳＴＢに対するＳＴＢ操作コマンドを生成して前記通信ネットワークを介して送信するＳＴＢ操作コマンド生成・送信手段と
を備えていることを特徴とする携帯端末。
【請求項２】
前記ＳＴＢ操作コマンド生成・送信手段によって生成されるＳＴＢ操作コマンドが、放送番組の記録開始を指示する内容のコマンドである
ことを特徴とする請求項１記載の携帯端末。
【請求項３】
前記ＳＴＢ操作コマンド生成・送信手段によって生成されるＳＴＢ操作コマンドが、放送番組の記録停止を指示する内容のコマンドである
ことを特徴とする請求項１記載の携帯端末。
【請求項４】
前記ＳＴＢ操作コマンド生成・送信手段によって生成されるＳＴＢ操作コマンドが、放送番組の記録消去を指示する内容のコマンドである
ことを特徴とする請求項１記載の携帯端末。
【請求項５】
前記閾値記録手段には、視聴時間に関しての複数の閾値が設定記録され、
前記視聴時間比較手段は、前記視聴時間記録手段に記録されている放送番組の視聴時間と、前記閾値記録手段に設定記録されている視聴時間に関しての複数の閾値それぞれとを比較し、
前記ＳＴＢ操作コマンド生成・送信手段は、前記視聴時間記録手段に記録されている視聴を行った放送番組の視聴時間が複数の閾値それぞれに達した場合に、複数の閾値それぞれに対応したＳＴＢ操作コマンドを生成して前記通信ネットワークを介して送信する
ことを特徴とする請求項１記載の携帯端末。
【請求項６】
前記ＳＴＢ操作コマンド生成・送信手段は、前記視聴時間記録手段に記録されている放送番組の視聴時間が前記閾値記録手段に設定記録されている第１の閾値に達した場合には、放送番組の記録開始を指示する内容のＳＴＢ操作コマンドを生成して前記通信ネットワークを介して送信する一方、前記視聴時間記録手段に記録されている放送番組の視聴時間が前記視聴時間記録手段に記録されている第１の閾値よりも大きな第２の閾値に達した場合には、放送番組の記録消去を指示する内容のＳＴＢ操作コマンドを生成して前記通信ネットワークを介して送信する
ことを特徴とする請求項５記載の携帯端末。
【請求項７】
放送番組を受信出力する放送番組受信視聴機能、及び通信ネットワークを介しての通信機能を備えた携帯端末を用いた放送番組自動記録制御方法であって、
視聴を行った放送番組の視聴時間を計測して記録する視聴時間記録ステップと、
該視聴時間記録ステップによって記録した視聴を行った放送番組の視聴時間を、予め設定されている視聴時間に関しての閾値と比較する視聴時間比較ステップと、
該視聴時間比較ステップの比較結果に基づいて、放送番組の受信・記録機能を備えたＳＴＢに対するＳＴＢ操作コマンドを生成して前記通信ネットワークを介して送信するＳＴＢ操作コマンド生成・送信ステップと
を有することを特徴とする放送番組自動記録制御方法。
【請求項８】
前記ＳＴＢ操作コマンド生成・送信ステップによって生成して送信するＳＴＢ操作コマンドは、前記放送番組の記録開始を指示する内容のコマンドである
ことを特徴とする請求項７記載の放送番組自動記録制御方法。
【請求項９】
前記ＳＴＢ操作コマンド生成・送信ステップによって生成して送信するＳＴＢ操作コマンドは、放送番組の記録停止を指示する内容のコマンドである
ことを特徴とする請求項７記載の放送番組自動記録制御方法。
【請求項１０】
前記ＳＴＢ操作コマンド生成・送信ステップによって生成して送信するＳＴＢ操作コマンドは、放送番組の記録消去を指示する内容のコマンドである
ことを特徴とする請求項７記載の放送番組自動記録制御方法。
【請求項１１】
前記視聴時間比較ステップは、前記視聴時間記録ステップによって計測して記録した視聴を行った放送番組の視聴時間を、予め設定されている視聴時間に関しての複数の閾値それぞれと比較し、
前記ＳＴＢ操作コマンド生成・送信ステップは、前記視聴時間比較ステップの比較結果に基づいて、前記視聴時間記録ステップによって記録した視聴を行った放送番組の視聴時間が複数の閾値それぞれに達した場合に、複数の閾値それぞれに対応したＳＴＢ操作コマンドを生成して前記通信ネットワークを介して送信する
ことを特徴とする請求項７記載の放送番組自動記録制御方法。
【請求項１２】
前記視聴時間比較ステップは、前記視聴時間記録ステップによって記録した視聴を行った放送番組の視聴時間を、予め設定されている視聴時間に関しての複数の閾値それぞれと比較し、
前記ＳＴＢ操作コマンド生成・送信ステップは、前記視聴時間記録手段に記録されている放送番組の視聴時間が第１の閾値に達した場合には、放送番組の記録開始を指示する内容のＳＴＢ操作コマンドを生成して前記通信ネットワークを介して送信する一方、前記視聴時間記録手段に記録されている放送番組の視聴時間が第１の閾値よりも大きな第２の閾値に達した場合には、放送番組の記録消去を指示する内容のＳＴＢ操作コマンドを生成して前記通信ネットワークを介して送信する
ことを特徴とする請求項１１記載の放送番組自動記録制御方法。
【請求項１３】
コンピュータを、
視聴を行った放送番組の視聴時間を計測して記録する視聴時間記録手段と、
視聴時間に関しての閾値が設定記録されている閾値記録手段と、
前記視聴時間記録手段に記録されている視聴を行った放送番組の視聴時間と、該閾値記録手段に設定記録されている閾値とを比較する視聴時間比較手段と、
該視聴時間比較手段の比較結果に基づいて、放送番組の受信・記録機能を備えたＳＴＢに対するＳＴＢ操作コマンドを生成して前記通信ネットワークを介して送信するＳＴＢ操作コマンド生成・送信手段
として機能させるためのプログラム。
【発明の詳細な説明】
【技術分野】
【０００１】
本発明は、放送番組を受信して視聴する放送番組受信視聴機能、並びに通信ネットワークを介しての通信機能を備えた携帯端末、この携帯端末を用いた放送番組自動記録制御方法、及びプログラムに関するものである。
【背景技術】
【０００２】
近年、急速に多様な通信インフラが普及し、これら通信インフラを利用した様々な商品が発売されている。
【０００３】
例えば、携帯電話やノートパソコン等の携帯端末を用いて、外出先から通信ネットワーク経由でテレビ番組の録画操作を行うことができるＳＴＢ（セットトップボックス）が各社から発売されている。
【０００４】
一方で、テレビ番組やラジオ番組といった放送番組の受信機能を備えた携帯端末も各社から発売されており、例えば、電車で移動中の暇な時間に気軽にテレビ番組やラジオ番組の視聴を楽しむということも可能になってきている。
【０００５】
しかしながら、例えば、携帯端末を利用してテレビ番組を視聴する場合、視聴環境の変化（視聴場所自体の移動をも含む）に伴って放送電波の受信状況が悪化し、テレビ番組を視聴できなくなる状況が起こり得る。このような状況にあっては、ユーザは、家庭等に置かれたＳＴＢに対し、携帯端末を用いて録画予約を行うことで、その視聴逃し（視聴不可）を回避することも可能ではあるが、その実行には、ユーザに煩雑な携帯端末の操作を強いることになる。
【０００６】
このような状況に鑑み、特開２００４−１４０４６０号公報には、テレビ番組受信機能を備えた携帯端末において、放送電波の受信感度が悪くなったときに放送内容をバックアップすることができるテレビ放送自動記録システムが示されている。
【０００７】
次に、この特開２００４−１４０４６０号公報に示された従来のテレビ放送自動記録システムについて、図１０乃至図１２により説明する。
【０００８】
図１０は、従来のテレビ放送自動記録システムを構成する携帯端末の構成を示したブロック図である。
【０００９】
図１０において、１００’は後述するＳＴＢ２００’とともにテレビ放送自動記録システムを構成する携帯端末である。
【００１０】
この携帯端末１００’において、１０１’，１０２’は、それぞれ無線通信を実現するためのアンテナ部，無線部である。また、１０３’，１０４’は、それぞれ放送電波を受信するためのアンテナ部，受信部である。１０５’は、各種マンマシンインターフェイスや受信した放送データを表示する表示部である。１０６’は、プログラムや放送データ等を記録するメモリ部である。１０７’は、視聴するテレビ番組のチャネル入力等といった各種入力操作をするための操作部である。１１０’は、操作部１０７’によって入力操作された各種入力に基づき、無線部１０２’，受信部１０４’，表示部１０５’，メモリ部１０６’に対して各種制御を行う制御部である。
【００１１】
その上で、制御部１１０’は、テレビ放送自動記録システムを実現するために、少なくとも、受信部１０４’が受信した放送電波の受信感度をモニタする受信感度モニタ手段と、この受信感度モニタ手段によってモニタ取得された受信感度に対しての閾値を設定する閾値設定手段と、受信感度モニタ手段による受信感度と閾値設定手段によって設定された閾値との比較結果に基づいて後述するＳＴＢ２００’への操作要求をネットワーク３０１経由で送信する操作要求手段と、既に送信済の操作要求に対応してのＳＴＢ２００’からの返信を受信する返信受信手段と、無線部１０２’が通信可能であるか否かを判定するために無線基地局から送信されるパイロット信号等の電界レベルをする電界レベルモニタ手段とをその内部に有している。
【００１２】
図１１は、従来のテレビ放送自動記録システムを構成するＳＴＢの一例の構成を示したブロック図である。
【００１３】
図１１において、２００’は上述した携帯端末１００’とともにテレビ放送自動記録システムを構成するＳＴＢである。
【００１４】
このＳＴＢ２００’において、２０３’，２０４’は、それぞれ放送電波を受信するためのアンテナ部，受信部である。２０６’は、受信した放送データを記録するメモリ部である。２０７’は、各種入力操作を行うための操作部である。２０８’は、外部のネットワーク３０２と通信を行うためのモデム部である。
【００１５】
２１０’は、操作部２０７’によって入力操作された各種入力や、モデム部２０８’を介して供給されるコマンドに基づいて、受信部２０４’，メモリ部２０６’，モデム部２０８’等に対して各種制御を行う制御部である。
【００１６】
その上で、制御部２１０’は、テレビ放送の自動記録を実現するために、少なくとも、携帯端末１００’からの操作要求を受信し、受信完了の旨をネットワーク３０２経由で携帯端末１００’に対して返信する受信返信手段と、携帯端末１００’からの操作要求に従ってＳＴＢ２００’自身の電源ＯＮ／ＯＦＦ（起動／停止）、受信チャネル設定、記録開始／停止等を行う記録制御手段とをその内部に有している。
【００１７】
このような携帯端末１００’とＳＴＢ２００’とによって構成される従来のテレビ放送自動記録システムにおいては、携帯端末１００’及びＳＴＢ２００’を用いたテレビ番組の自動記録は、例えば図１２に示すようにして行われる。
【００１８】
図１２は、従来のテレビ放送自動記録システムにおけるテレビ放送自動記録に関する携帯端末の動作フローチャートである。
【００１９】
ここでは、ユーザは携帯端末１００’を用いて所望のチャネルのテレビ番組を受信、視聴中で、携帯端末１００’は、この所望のチャネルのテレビ放送を受信部１０４’によって受信し、表示部１０５’から出力中であるものとする（ステップＳ１２０１）。
【００２０】
その際には、携帯端末１００’の制御部１１０’は、所定の時間間隔で受信部１０４’が受信した放送電波の受信感度をモニタし、その受信感度を検出している（ステップＳ１２０２）。そして、制御部１１０’は、このモニタした放送電波の受信感度が所定の閾値を下回っているか否かを確認している（ステップＳ１２０３）。
【００２１】
その上で、制御部１１０’は、このモニタした放送電波の受信感度が所定の閾値を下回っていると（ステップＳ１２０３／ＹＥＳ）、前述した動作開始後に別途所定の時間間隔でモニタしている無線基地局から送信されるパイロット信号等の検出した電界レベルに基づき（ステップＳ１２０４）、無線基地局による通信圏内で無線通信可能であるか否かを確認する（ステップＳ１２０５）。これにより、制御部１１０’は、無線基地局による通信圏内で無線通信可能であると判断すれば（ステップＳ１２０５／ＹＥＳ）、無線部１０２’を用いてネットワーク３０１に回線接続し、このネットワーク３０１を介してインターネットに回線接続する（ステップＳ１２０６）。
【００２２】
一方、前述のステップＳ１２０３で、制御部１１０’は、モニタした放送電波の受信感度が所定の閾値を上回っていれば（ステップＳ１２０３／ＮＯ）、テレビ放送を受信し続けるとともに、その視聴中のテレビ放送について上述した放送電波の受信感度のモニタ（ステップＳ１２０２）及び確認（ステップＳ１２０３）を所定時間間隔で繰り返し行う。
【００２３】
また、前述のステップＳ１２０５で、制御部１１０’は、無線通信できないと判断した場合は（ステップＳ１２０４／ＮＯ）、ネットワーク３０１を介してインターネットに回線接続できないため、テレビ放送電波の受信状況が回復したか（ステップＳ１２０２，Ｓ１２０３）、又は無線基地局による通信圏内に復帰したか（ステップＳ１２０４，Ｓ１２０５）の確認を繰り返し行っている。
【００２４】
そして、制御部１１０’は、前述のステップＳ１２０６でインターネットに回線接続できた場合は、同じくネットワーク３０２を介してインターネットに回線接続されたＳＴＢ２００’に対し、無線部１０２’を用いネットワーク３０１を介して「ＳＴＢ電源ＯＮ要求」を送信する（ステップＳ１２０７）。
【００２５】
その後、制御部１１０’は、ネットワーク３０２’を介してＳＴＢ２００’からの「受信完了信号」を受信したならば、次にＳＴＢ２００’に対し、当該受信していたチャネルの「テレビチャネル受信要求」を同様にして送信し（ステップＳ１２０８）、ＳＴＢ２００’からの「受信完了信号」を受信したならば、ＳＴＢ２００’に対してさらに「記録開始要求」を送信し（ステップＳ１２０９）、ＳＴＢ２００’によって受信感度が低下して視聴困難になった所望のチャネルのテレビ番組を録画開始させる。
【００２６】
そして、制御部１１０’は、この「記録開始要求」に対するＳＴＢ２００’からの「受信完了信号」を受信したならば、無線部１０２’によるネットワーク３０１との回線接続を切断する（ステップＳ１２１０）。
【００２７】
ＳＴＢ２００’による記録開始後、携帯端末１００’の制御部１１０’は、所定の時間間隔で受信部１０４’が受信している放送電波の受信感度をモニタして、再び放送電波の受信感度の検出を開始し（ステップＳ１２１１）、このモニタした放送電波の受信感度が所定の閾値を下回っているか否かを確認し（ステップＳ１２１２）、検出した放送電波の受信感度が所定の閾値を上回っている場合には（ステップＳ１２１２／ＹＥＳ）、さらに別途所定の時間間隔でモニタしている無線基地局から送信されるパイロット信号等の検出した電界レベルに基づき（ステップＳ１２１３）、無線基地局による通信圏内で無線通信可能であるか否かを確認する（ステップＳ１２１４）。
【００２８】
これら確認結果に基づき、制御部１１０’は、ステップＳ１２１１で検出した放送電波の受信感度が所定の閾値を上回り（ステップＳ１２１２／ＹＥＳ）、かつ、ステップＳ１２１３で別途所定の時間間隔でモニタしている無線基地局から送信されるパイロット信号等の電界レベルにより無線通信可能であると判断すれば（ステップＳ１２１４／ＹＥＳ）、再度、無線部１０２’によりネットワーク３０１に回線接続し、ネットワーク３０１を介してインターネットに接続する（ステップＳ１２１４）。
【００２９】
一方、ステップＳ１２１１で検出した放送電波の受信感度が所定の閾値を上回らない場合（ステップＳ１２１２／ＮＯ）や、また、ステップＳ１２１１で検出した放送電波の受信感度が閾値を上回って携帯端末１００’によるテレビ番組の視聴が可能な状態になっても（ステップＳ１２１２／ＹＥＳ）、ステップＳ１２１２で検出した電界レベルからネットワーク３０１を介してインターネットに接続できない場合は（ステップＳ１２１４／ＮＯ）、制御部１１０’は、先にステップＳ１２０９で指示したＳＴＢ２００’による録画を続ける。
【００３０】
そして、制御部１１０’は、前述のステップＳ１２１５でインターネットに回線接続できた場合は、同じくネットワーク３０２を介してインターネットに回線接続されているＳＴＢ２００’に対し、無線部１０２’を用いネットワーク３０１を介して「記録停止要求」を送信し（ステップＳ１２１６）、受信感度が低下して視聴困難になった所望チャネルのテレビ番組についてのＳＴＢ２００’による録画を終了させる。
【００３１】
その後、制御部１１０’は、ネットワーク３０２’を介してＳＴＢ２００’からの「受信完了信号」を受信したならば、次にＳＴＢ２００’に対し、「ＳＴＢ電源ＯＦＦ要求」を同様にして送信し（ステップＳ１２１７）、ＳＴＢ２００’からの「受信完了信号」を受信したならば、無線部１０２’によるネットワーク３０１との回線接続を切断する（ステップＳ１２１８）。
【００３２】
このような携帯端末１００’の動作に対して、ＳＴＢ２００’は、携帯端末１００’が図１２に従って動作している間、携帯端末１００’からの「ＳＴＢ電源ＯＮ要求」、「テレビチャネル受信要求」、「記録開始要求」、「記録停止要求」、「ＳＴＢ電源ＯＦＦ要求」を待ち受けており、これら要求をネットワーク３０２経由でモデム部２０８’が受信すると、制御部２１０’は要求内容に応じて各種制御を行うとともに受信完了信号をモデム部２０８’からネットワーク３０２経由で携帯端末１００’に送信する。
【００３３】
上述したように、従来のテレビ放送自動記録システムによれば、携帯端末１００’でテレビ放送受信中、受信感度に応じて適切に記録開始要求、記録停止要求をＳＴＢ２００’に送信し、携帯端末１００’で視聴できなかったであろう放送部分をＳＴＢ２００’に記録することで、後程、ＳＴＢ２００’に記録された放送データを再生して視聴することを可能とし、所望のチャネルのテレビ番組の視聴に係り重要なシーンの見逃しを防ぐことができる。
【００３４】
【特許文献１】特開２００４−１４０４６０号公報
【発明の開示】
【発明が解決しようとする課題】
【００３５】
しかしながら、上述した従来のテレビ放送自動記録システムでは、次のような問題点があった。
【００３６】
第１の問題点は、ユーザが、放送電波の受信状況が悪いにも関わらず、携帯端末１００’で所望のチャネルのテレビ番組の視聴を続行した場合であっても、ＳＴＢ２００’には、ユーザにとってその視聴が終了しているシーンの録画内容が残ってしまう、という点である。このような場合、その録画内容は既に視聴済みのため不要であるにも関わらずＳＴＢ２００’に記録保存されていることとなり、ユーザは明示的な操作によりＳＴＢ２００’からこの録画内容を消去する必要がある。
【００３７】
また、第２の問題点は、放送電波の受信状況に関して良い状態と悪い状態とが短い期間で頻繁に切り替わると、ＳＴＢ２００’に記録された録画内容が断続的なものになってしまう、という点である。このような場合、ユーザがＳＴＢ２００’に記録された放送データ（録画内容）を再生して視聴しても、断続的な録画内容が再生されるだけなので、その視聴が不快であることは想像に難くない。加えて、放送電波の受信状況が短い期間で頻繁に切り替わるたびに、携帯端末１００’とＳＴＢ２００’との間の通信が発生することになって両者間の通信量が多くなるため、ネットワーク３０１に対する回線接続が従量制の通信環境下では通信料がかさむ、という問題もある。
【００３８】
さらに、第３の問題点は、上述した視聴不可の原因が放送電波の受信状況の悪化以外の原因による見逃しには対応しない、という点である。例えば、携帯端末１００’が携帯電話である場合において、テレビ番組の視聴中に着信があった場合、等が該当する。このような場合、放送電波の受信状況については着信によっても変わりないので、ユーザは着信応答中の番組シーンについては、見逃してしまうことになってしまう。
【００３９】
本発明は、このような問題点に鑑みてなされたもので、外出先から通信ネットワーク経由でテレビ番組やラジオ番組といった放送番組の録画や録音といった記録操作を行うことができるＳＴＢとの組み合せで、ユーザに煩わしい操作を強いることなく、不測の事態による重要なシーンの見逃し頻度を低減することができる放送番組受信視聴機能並びに通信機能を備えた携帯端末、この携帯端末を用いた放送番組自動記録制御方法、及びプログラムを提供するものである。
【課題を解決するための手段】
【００４０】
そこで上述した課題を解決するために、本発明の携帯端末は、放送番組を受信出力する放送番組受信視聴機能、及び通信ネットワークを介しての通信機能を備えた携帯端末であって、視聴を行った放送番組の視聴時間を計測して記録する視聴時間記録手段と、視聴時間に関しての閾値が設定記録されている閾値記録手段と、前記視聴時間記録手段に記録されている放送番組の視聴時間と、該閾値記録手段に設定記録されている閾値とを比較する視聴時間比較手段と、該視聴時間比較手段の比較結果に基づいて、放送番組の受信・記録機能を備えたＳＴＢに対するＳＴＢ操作コマンドを生成して前記通信ネットワークを介して送信するＳＴＢ操作コマンド生成・送信手段とを備えていることを特徴とする。
【００４１】
また、本発明の携帯端末を用いた放送番組自動記録制御方法は、放送番組を受信出力する放送番組受信視聴機能、及び通信ネットワークを介しての通信機能を備えた携帯端末を用いた放送番組自動記録制御方法であって、視聴を行った放送番組の視聴時間を計測して記録する視聴時間記録ステップと、該視聴時間記録ステップによって記録した視聴を行った放送番組の視聴時間を、予め設定されている視聴時間に関しての閾値と比較する視聴時間比較ステップと、該視聴時間比較ステップの比較結果に基づいて、放送番組の受信・記録機能を備えたＳＴＢに対するＳＴＢ操作コマンドを生成して前記通信ネットワークを介して送信するＳＴＢ操作コマンド生成・送信ステップとを有することを特徴とする。
【００４２】
その上で、視聴を行った放送番組の視聴時間がこの閾値に達した場合に、放送番組の受信・記録機能を備えたＳＴＢに対して、放送番組の記録開始を指示する内容、放送番組の記録停止を指示する内容、又は放送番組の記録消去を指示する内容のＳＴＢ操作コマンドを生成して送信することによって、ユーザに煩わしい操作を強いることなく、不測の事態による重要なシーンの見逃し頻度を低減することができるようにしたものである。
【００４３】
さらに、本発明のプログラムによれば、コンピュータを、視聴を行った放送番組の視聴時間を計測して記録する視聴時間記録手段と、視聴時間に関しての閾値が設定記録されている閾値記録手段と、前記視聴時間記録手段に記録されている視聴を行った放送番組の視聴時間と、該閾値記録手段に設定記録されている閾値とを比較する視聴時間比較手段と、該視聴時間比較手段の比較結果に基づいて、放送番組の受信・記録機能を備えたＳＴＢに対するＳＴＢ操作コマンドを生成して前記通信ネットワークを介して送信するＳＴＢ操作コマンド生成・送信手段として機能させることができ、放送番組受信視聴機能及び通信機能を備えた可搬型のパーソナルコンピュータやＰＤＡ（Personal Digital Assistant）等の機器を、放送番組自動記録制御システムに利用可能な携帯端末として機能させることができる。
【発明の効果】
【００４４】
本発明の携帯端末、携帯端末を用いた放送番組自動記録制御方法、及びプログラムによれば、視聴を行った放送番組の視聴時間に応じて、ユーザが視聴している番組を自動的に放送番組の受信・記録機能を備えたＳＴＢに録画しておくことで、不測の事態により視聴中の放送番組の視聴が困難になった場合でも、後で再生し、重要なシーンの見逃し頻度を低減できるようになる。
【００４５】
また、ユーザが放送番組を視聴している最中に不測の事態が発生せず、放送番組全体を概ね視聴できた場合は、上述の視聴時間に応じて録画開始したＳＴＢによる当該放送番組の録画が、自動的に、又はユーザによる簡単な承認操作を経るだけで半自動的に消去されることによって、ユーザにとって不要なデータをユーザの手を煩わせることなく適切に廃棄することができる。
【００４６】
さらにこの結果、ＳＴＢの記録部自体の新たな記録場所の確保もはかれるので、上述した不測の事態により視聴中の放送番組の視聴が困難になった場合でも記録場所に不足が生じたりする等の問題点の発生を抑制でき、ひいてはＳＴＢの記録部容量の有効活用にも寄与することができる。
【発明を実施するための最良の形態】
【００４７】
本発明に係る携帯端末、携帯端末を用いた放送番組自動記録制御方法、及びプログラムの一実施の形態について、図面を参照して説明する。
【００４８】
図１は、本発明の一実施の形態に係る携帯端末の構成を示したブロック図である。
図１において、本実施の形態の携帯端末１００は、後述するＳＴＢ２００とともに放送番組自動記録制御システムを構成する。そして、本実施の形態の携帯端末１００は、アンテナ部１０１、無線部１０２、アンテナ部１０３、受信部１０４、表示部１０５、メモリ部１０６、操作部１０７、及び制御部１１０を備えて構成されている。
【００４９】
アンテナ部１０１及び無線部１０２は、それぞれ無線通信を実現するための通信手段として機能する。アンテナ部１０３及び受信部１０４は、それぞれ放送電波を受信するための放送電波受信手段として機能する。表示部１０５は、各種マンマシンインターフェイスや受信した放送データを表示する。メモリ部１０６は、プログラムや放送データ、さらに放送データ中に多重化されている番組情報を抜き出したものや電子番組表、後述するユーザの視聴状況、等を記録する。操作部１０７は、視聴するテレビ番組のチャネル入力、等といった各種情報入力操作を行う。制御部１１０は、操作部１０７によって入力操作された各種情報入力、アンテナ部１０１及び無線部１０２を介して供給される後述するＳＴＢ２００からの「受信完了信号」等に基づき、無線部１０２，受信部１０４，表示部１０５，メモリ部１０６等に対して各種制御を行う。
【００５０】
その上で、制御部１１０は、図１０に示した従来技術のテレビ放送自動記録システムの携帯端末１００’とは異なり、放送番組自動記録制御を実現するために、図１に示すように、現在時刻供給部１１１、視聴状況検出部１１２、ＳＴＢ操作コマンド生成・送信部１１３をその内部に有している。
【００５１】
現在時刻供給部１１１は、時計機能を有して、現在時刻を視聴状況検出部１１２に供給する。
【００５２】
視聴状況検出部１１２は、現在時刻供給部１１１から供給される現在時刻、及び操作部１０７から供給される例えばテレビ番組等のチャネル情報或いはメモリ部１０６に格納されている現在視聴中の番組情報等に基づいて、所定のタイミングで現在の視聴状況を検出し、メモリ部１０６に記録する。
【００５３】
ここで、上述の「視聴状況」とは、少なくとも「いつ」、「どの番組を」、「どれだけの時間」視聴したのかを特定できる情報のことを指す。なお、視聴状況検出部１１２による具体的なメモリ部１０６に対しての視聴状況の記録方法については後述する。
【００５４】
ＳＴＢ操作コマンド生成・送信部１１３は、メモリ部１０６に記録されている視聴状況等の記録を読み出し、この視聴状況等の記録に基づいてＳＴＢ２００を操作するためのＳＴＢ操作コマンドを必要に応じて生成し、無線部１０２からネットワーク３０１経由でＳＴＢ２００宛に送信する。このＳＴＢ操作コマンド生成・送信部１１３で生成されるＳＴＢ操作コマンドとしては、ＳＴＢ２００に対し、所定の番組の録画予約を指示する「録画予約コマンド」、所定の番組の録画開始を指示する「録画開始コマンド」、所定の録画の停止を指示する「録画停止コマンド」、既に録画済の所定の番組を消去させる「録画消去コマンド」等があるが、具体的な例については後述する。
【００５５】
図２は、本実施の形態の携帯端末とともに放送番組自動記録制御システムを構成するＳＴＢの一実施例の構成を示したブロック図である。
【００５６】
図２において、２００は上述した携帯端末１００とともに放送番組自動記録制御システムを構成するＳＴＢである。
【００５７】
同図中、２０３，２０４は、それぞれ放送電波を受信するためのアンテナ部，受信部である。２０６は、受信した放送データ等を記録するメモリ部である。２０７は、各種入力操作を行うための操作部である。２０８は、外部のネットワーク３０２と通信を行うためのモデム部である。２１０は、操作部１０７によって入力操作された各種入力や、モデム部２０８を介して供給されるコマンドに基づいて、受信部２０４，メモリ部２０６，モデム部２０８等に対して各種制御を行う制御部である。
【００５８】
その上で、制御部２１０は、従来技術に記載したテレビ放送自動記録システムのＳＴＢ２００’とは異なり、放送番組自動記録制御を実現するために、図２に示すように、ＳＴＢ操作コマンド受信部２１１、ＳＴＢ自動制御部２１２をその内部に有している。
【００５９】
ＳＴＢ操作コマンド受信部２１１は、ネットワーク３０２経由でモデム部２０８を介して、携帯端末１００から送信された前述の「録画予約コマンド」、「録画開始コマンド」、「録画停止コマンド」、「録画消去コマンド」等といったＳＴＢ操作コマンドを抽出して受信する。さらに、本実施の形態の場合は、このＳＴＢ操作コマンド受信部２１１は、携帯端末１００から送信されてくるＳＴＢ操作コマンドを受信した場合に、その「受信完了メッセージ」をネットワーク３０２経由で携帯端末１００に対して返信するためのコマンド受信返信機能も有している。
【００６０】
ＳＴＢ自動制御部２１２は、ＳＴＢ操作コマンド受信部２１１が識別して受け取った各種ＳＴＢ操作コマンドを基に、受信部２０４、モデム部２０８、及びメモリ部２０６等を制御する。本実施の形態の場合は、携帯端末１００からのＳＴＢ操作コマンドに従って、ＳＴＢ２００自身の電源ＯＮ／ＯＦＦ（起動／停止）、受信部２０４によって受信する放送番組（放送電波）の受信チャネル設定、メモリ部２０６に対する放送番組の記録開始／停止等を行う記録制御機能も有している。
【００６１】
このような携帯端末１００とＳＴＢ２００とによって構成される放送番組自動記録システムにおいて、ＳＴＢ２００は、携帯端末１００による放送番組自動記録制御に関係して、例えば図３に示すように作動する。
【００６２】
図３は、本実施の形態の携帯端末とともに放送番組自動記録制御システムを構成するＳＴＢの動作フローチャートである。
【００６３】
ＳＴＢ２００は、ネットワーク３０２を経由して、モデム部２０８が携帯端末１００から送信されてくる送信情報を受信すると、ＳＴＢ操作コマンド受信部２１１及びＳＴＢ自動制御部２１２がこの送信情報の受信を受けてその処理を開始する。ＳＴＢ操作コマンド受信部２１１は、携帯端末１００からの送信情報より各種のＳＴＢ操作コマンドを抽出して受信する（ステップＳ３０１）。そして、ＳＴＢ操作コマンド受信部２１１が送信情報からＳＴＢ操作コマンドを抽出して受信すると、ＳＴＢ操作コマンド受信部２１１は「受信完了メッセージ」をモデム部２０８よりネットワーク３０２経由で携帯端末１００に対して返信する。
【００６４】
ＳＴＢ自動制御部２１２は、ＳＴＢ操作コマンド受信部２１１が抽出して受信したＳＴＢ操作コマンドを基に、受信部２０４、メモリ部２０６、モデム部２０８等の各部を制御し、放送番組の自動記録処理を行う（ステップＳ３０２）。
【００６５】
例えば、ステップＳ３０１において、ＳＴＢ操作コマンド受信部２１１が「録画開始コマンド」を受信したとする。ここで、「録画開始コマンド」は、少なくとも「録画したいチャネル番号を特定する情報（チャネル番号そのものや前記チャネルにて現在放送されている番組を特定する番組ＩＤ等）」、「録画終了時刻を特定する情報（録画終了時刻そのものや前記番組ＩＤ等）」、「録画開始の指示」からなっている。
【００６６】
ＳＴＢ操作コマンド受信部２１１からこのような「録画開始コマンド」が供給されると、ステップＳ３０２において、ＳＴＢ自動制御部２１２は、受信部２０４が受信する放送番組のチャネルを録画開始コマンドで特定されたチャネル番号にセットし、この受信部２０４が受信したチャネルの放送番組をメモリ部２０６に対し録画開始し、同じく「録画開始コマンド」で特定された録画終了時刻（例えば、番組の放送終了時刻等）になると、自動的にそのメモリ部２０６に対する録画を終了するように制御作動する。
【００６７】
また、ステップＳ３０１において、ＳＴＢ操作コマンド受信部２１１が「録画停止コマンド」を受信したとする。ここで、「録画停止コマンド」は、少なくとも、「録画停止の指示」を含んでおり、ＳＴＢ２００が複数チャネルの番組を同時録画可能な場合は、さらに「録画停止したいチャネルを特定する情報（チャネル番号または前記番組ＩＤ）」を含んでいる。
【００６８】
ＳＴＢ操作コマンド受信部２１１からこのような「録画停止コマンド」が供給されると、ステップＳ３０２において、ＳＴＢ自動制御部２１２は、録画停止したいチャネルを指定した上で、その指定したチャネルによる放送番組がその録画終了時刻になっていなくても、メモリ部２０６に対する録画を停止するように制御作動する。
【００６９】
なお、ステップＳ３０１において、ＳＴＢ操作コマンド受信部２１１が抽出して受信した「ＳＴＢ操作コマンド」が無意味な「ＳＴＢ操作コマンド」である場合、例えば、現在録画中の番組に対しての録画予約や録画開始を指示するコマンドや、録画していない番組の録画消去を指示するコマンド等であることを、ＳＴＢ操作コマンド受信部２１１が判別した場合、ＳＴＢ操作コマンド受信部２１１は、この受信した無意味なＳＴＢ操作コマンドを廃棄して処理を終了し、ＳＴＢ自動制御部２１２はステップＳ３０２の処理は行わない構成になっている。
【００７０】
図４は、本実施の形態の携帯端末を用いた放送番組自動記録制御システムのイメージ図である。
【００７１】
携帯端末１００は、ＴＶ局又はラジオ局といった放送局４００より所望の放送番組（例えば、テレビ番組）を受信し、必要に応じて、ＳＴＢ操作コマンドをＳＴＢ２００に対して送信する。このＳＴＢ操作コマンドは、携帯端末１００から一旦、基地局５００に送られ、基地局５００からネットワーク３０１，３０２を介して、最終的に携帯端末１００に対応した所定のＳＴＢ２００に届けられる。ＳＴＢ２００は、その受信したＳＴＢ操作コマンドの内容に応じて、放送局４００より所望のチャネルの放送番組を受信して録画を開始したり、その録画を停止したりする。
【００７２】
次に、図４に示した放送番組自動記録制御システムにおいて、本実施の形態の携帯端末１００によるＳＴＢ２００に対しての放送番組自動記録制御方法について、実施例毎に分けて説明する。
【実施例１】
【００７３】
本実施の形態の携帯端末１００によるＳＴＢ２００に対しての放送番組自動記録制御方法の第１の実施例について、図５〜図７に基づいて説明する。
【００７４】
図５は、本実施の形態の携帯端末における視聴状況検出部による視聴状況記録処理のフローチャートである。
【００７５】
携帯端末１００の制御部１１０においては、番組視聴開始時、チャネル変更時、又は番組視聴中における所定の時間間隔ＩＦ０の中のいずれかで、視聴状況検出部１１２による視聴状況記録処理が実行される。なお、視聴状況検出部１１２による視聴状況記録処理を番組視聴中に実行するための上述した所定の時間間隔ＩＦ０は、必ずしも相互に同一時間間隔である必要はなく、例えばこの所定の時間間隔ＩＦ０自体が適当な時間範囲を有していてもよい。
【００７６】
その上で、制御部１１０における視聴状況検出部１１２は、操作部１０７の操作に基づく番組視聴開始時或いはチャネル変更時、又は番組視聴中における所定の時間間隔ＩＦ０の中のいずれかを検出する度に、現在時刻供給部１１１から供給される現在時刻や操作部１０７から入力された放送番組のチャネル番号等の情報、又はメモリ部１０６に格納されている現在視聴中の番組情報等に基づいて、現在の視聴状況（後に、「いつ」、「どの番組を」、「どれだけの時間」視聴したのかを特定できる情報）を検出して、メモリ部１０６に記録する（ステップＳ５０１）。
【００７７】
ここで、この視聴状況検出部１１２によるメモリ部１０６に対しての具体的な視聴状況の記録構成について、図７を用いて説明する。
【００７８】
図７は、ある時点におけるメモリ部の視聴状況についての記録構成の説明図ある。
ここでは、仮にある時点を「２００４／０７／２１  １０：２３：００」（２００４年７月２１日１０時２３分００秒）として説明する。
【００７９】
メモリ部１０６には、図７に示すような、視聴状況が記録される視聴状況記録テーブル１０６ＥＰが形成されている。
【００８０】
視聴状況記録テーブル１０６ＥＰは、複数の放送番組の視聴状況が記録可能になっており、図７に示した例では、７つの放送番組についての視聴状況が記録できるようになっている。図中、ＥＰ０〜ＥＰ６は、放送番組の視聴状況を記録するためのエントリで、１つの番組につき、１つのエントリＥＰｎが割り当てられている。
【００８１】
各エントリＥＰ０〜ＥＰ６は、操作部１０７からの入力やメモリ部１０６に格納されている現在視聴中の番組についての番組情報等から取得した「チャネル番号＃」ＣＨ＃、上述の番組情報や電子番組表等から取得した「放送時間（放送開始・終了時刻）」Ｔｓ、現在時刻供給部１１１や上述の番組情報等から取得した「放送日」Ｄa、前記番組の放送や視聴の状況を示す「番組状況」Ｓｔ、前記番組の「総視聴時間」Ｔｔの項目Ｉｔ０〜Ｉｔ４を備えて構成されている。
【００８２】
図７に示した各エントリＥＰ０〜ＥＰ６において、その各項目Ｉｔ０〜Ｉｔ４が「ｎ／ａ」と記されている４つのエントリＥＰ３〜ＥＰ６は、未使用の視聴状況を記録したエントリである。
【００８３】
本例の場合、新規に放送番組を視聴開始した時点で、未使用エントリＥＰ３〜ＥＰ６の中のいずれかに、この視聴開始した放送番組の視聴状況を記録するためのエントリＥＰが作成され、それ以降、当該放送番組の視聴に対応して、図５に示した視聴状況検出部１１２による視聴状況記録処理が実行される度に、その「番組状況」Ｓｔと「総視聴時間」Ｔｔとが更新記録されていく構成になっている。
【００８４】
その際、「総視聴時間」Ｔｔは、本例では、今回エントリＥＰｎを更新した際の時刻Ｔ（ｍ）と、前回いずれかのエントリＥＰ０〜ＥＰ６を更新した際の時刻Ｔ（ｍ−１）との差分を、例えば「番組状況」Ｓｔが「視聴中」であること等を条件にして足しこむことで導出する。
【００８５】
そのために、本例では、前回いずれかのエントリＥＰ０〜ＥＰ６を更新した際の最新更新時間Ｔｐも、視聴状況の記録の一部として、メモリ部１０６上に形成され最新更新時間記録エリア１０６ＴＰに記録、更新していく構成になっている。
【００８６】
図７に示した例では、現在視聴中のチャネル番号１（ＣＨ１）による放送番組について、その放送開始（１０時００分）から現時点すなわち最新更新時間Ｔｐ（１０時２２分５９秒）までの間に、延べ（「総視聴時間」Ｔｔ）で１８分８秒間の視聴が行われており、現在視聴中のチャネル番号１（ＣＨ１）による放送番組の放送開始、又は現在視聴は行われていないチャネル番号４（ＣＨ４）による放送番組の放送開始（１０時００分００秒）から現時点すなわち最新更新時間Ｔｐ（１０時２２分５９秒）までの間に、チャネル番号３（ＣＨ３）による放送番組について６秒間の視聴が行われ、またチャネル番号４（ＣＨ３）によるテレビ番組についても９秒間の視聴が行われていることを示している。
【００８７】
なお、図７に示したメモリ部１０６における視聴状況の記録構成は、あくまでもその一例であって、これ以外の任意の構成で視聴状況をメモリ部１０６に記録してもよい。
【００８８】
次に、図６に戻り、携帯端末１００の制御部１１０におけるＳＴＢ操作コマンド生成・送信部１１３によるＳＴＢ２００に対するコマンド生成・送信処理について説明する。
【００８９】
図６は、本実施の形態の携帯端末におけるＳＴＢ操作コマンド生成・送信部によるＳＴＢに対するコマンド生成・送信処理のフローチャートである。
【００９０】
携帯端末１００の制御部１１０においては、所定の時間間隔ＩＦ０で、ＳＴＢ操作コマンド生成・送信部１１３による図６に示すコマンド生成・送信処理が実行される。なお、このＳＴＢ操作コマンド生成・送信部１１３によるコマンド生成・送信処理を実行するための上述した所定の時間間隔ＩＦ０は、必ずしも相互に同一時間間隔である必要はなく、例えばこの所定の時間間隔ＩＦ０自体が適当な時間範囲を有していてもよい。
【００９１】
ＳＴＢ操作コマンド生成・送信部１１３は、このコマンド生成・送信処理の開始後、メモリ部１０６の視聴状況記録テーブル１０６ＥＰに視聴状況が記録されている放送番組の中に、既に放送終了している放送番組があるか否かを、メモリ部１０６の最新更新時間記録エリア１０６ＴＰに記録されている最新更新時間Ｔｐと、視聴状況記録テーブル１０６ＥＰに記録されている放送時間（放送開始・終了時刻）Ｔｓとを基に判定する（ステップＳ６０１）。
【００９２】
ＳＴＢ操作コマンド生成・送信部１１３は、視聴状況記録テーブル１０６ＥＰに視聴状況が記録されている放送番組の中に、既に放送終了している番組が無かった場合は（ステップＳ６０１／Ｎｏ）、その中に総視聴時間Ｔｔが所定の閾値ＴＦ１を超えている放送番組があるか否かを判定する（ステップＳ６０２）。
【００９３】
なお、この所定の閾値ＴＦ１が示す時間の大きさは、本実施例の場合は、ユーザが視聴する放送番組を選択するに当たり、その視聴する放送番組の選択が終了したことを推定できる時間の大きさであり、具体的には視聴する放送番組の選択のためにユーザが操作部１０７を操作して放送番組の内容を確認しながら受信チャネルを切り替える際の切り替えインターバルよりも長い時間である。この所定の閾値ＴＦ１が示す時間の大きさは、ユーザが操作部１０７を操作して任意に設定できるようにすることも可能である。
【００９４】
ＳＴＢ操作コマンド生成・送信部１１３は、視聴状況記録テーブル１０６ＥＰに視聴状況が記録されている放送番組の中に、［総視聴時間Ｔｔ＞閾値ＴＦ１］なる放送番組がなかった場合は（ステップＳ６０２／Ｎｏ）、今回のコマンド生成・送信処理を終了する。
【００９５】
これに対し、ＳＴＢ操作コマンド生成・送信部１１３は、視聴状況記録テーブル１０６ＥＰに視聴状況が記録されている放送番組の中に、［総視聴時間Ｔｔ＞閾値ＴＦ１］なる放送番組があった場合は（ステップＳ６０２／Ｙｅｓ）、この放送番組についての「録画開始コマンド」が送信済みであるか否かを、例えばＳＴＢ操作コマンド生成・送信部１１３自身の生成・送信履歴等に基づいて判定する（ステップＳ６０３）。
【００９６】
その上で、ＳＴＢ操作コマンド生成・送信部１１３は、ステップＳ６０３で判定した［総視聴時間Ｔｔ＞閾値ＴＦ１］なる放送番組について「録画開始コマンド」が送信済みの場合は（ステップＳ６０３／Ｙｅｓ）、今回のコマンド生成・送信処理を終了する。
【００９７】
一方、ＳＴＢ操作コマンド生成・送信部１１３は、ステップＳ６０２で判定した［総視聴時間Ｔｔ＞閾値ＴＦ１］なる放送番組についての「録画開始コマンド」を未送信の場合は（ステップＳ６０３／Ｎｏ）、この放送番組について、前述した「チャネル番号を特定する情報（チャネル番号そのものや番組そのものを特定する番組ＩＤ等）」、「録画終了時刻を特定する情報（録画終了時刻そのものや上述した番組ＩＤ等）」、「録画開始の指示」からなる情報・指示を含む「録画開始コマンド」を生成し、無線部１０２、アンテナ部１０１を介し、ネットワーク３０１を経由してＳＴＢ２００に送信する（ステップＳ６０４）。
【００９８】
そして、ＳＴＢ操作コマンド生成・送信部１１３は、この生成・送信した「録画開始コマンド」を自身による「録画開始コマンド」の最新生成・送信情報として、例えば、メモリ部１０６内の図示せぬ履歴メモリ等に記録し、今回のコマンド生成・送信処理を終了する。
【００９９】
なお、上記においては、ＳＴＢ操作コマンド生成・送信部１１３は、「録画開始コマンド」の最新生成・送信情報を、同じくメモリ部１０６内の視聴状況記録テーブル１０６ＥＰとは独立した図示せぬ履歴メモリに記録しておく構成としたが、これに代えて、メモリ部１０６内の視聴状況記録テーブル１０６ＥＰの各エントリＥＰに対応させて「録画開始コマンド」が送信済であるか否かを記録するための送信済記録欄を追加項目として設けて、最新に「録画開始コマンド」を生成・送信した放送番組をこの送信済記録欄を利用して記録しておく構成としてもよい。
【０１００】
一方、ＳＴＢ操作コマンド生成・送信部１１３は、前述したステップＳ６０１の判定で、視聴状況記録テーブル１０６ＥＰに視聴状況が記録されている放送番組の中に、放送終了している放送番組があった場合は（ステップＳ６０１／Ｙｅｓ）、総視聴時間Ｔｔが前述した所定の閾値ＴＦ１よりも大きい（すなわち、時間が長い）所定の閾値ＴＦ０を超えている放送番組があるか否かを判定する（ステップＳ６０５）。
【０１０１】
ここで、所定の閾値ＴＦ０が示す時間について説明しておく。この所定の閾値ＴＦ０は、ユーザが前述した視聴する放送番組の選択を終え、この選択した放送番組についての視聴が完了したことを推定できる時間の大きさであり、具体的には、前述した所定の閾値ＴＦ１に比して十分長い時間である。この所定の閾値ＴＦ０が示す時間の大きさは、ユーザが操作部１０７を操作して一律かつ任意に設定できるようにしてもよいし、ユーザが視聴する放送番組の選択後に、制御部１１０内に図示省略して設けられた閾値設定部が、視聴状況記録テーブル１０６ＥＰに記録されている当該番組の「放送時間（放送開始・終了時刻）」Ｔｓに対応させて、放送番組毎に個別に、自動設定するように構成することもできる。具体的には、この放送番組毎の所定の閾値ＴＦ０は、「放送時間（放送開始・終了時刻）」Ｔｓから求められる番組視聴所要時間であってもよいし、又この番組視聴所要時間に“１”より小さな所定割合を乗算した時間であってもよい。
【０１０２】
ＳＴＢ操作コマンド生成・送信部１１３は、視聴状況記録テーブル１０６ＥＰに視聴状況が記録されている放送番組の中に、［総視聴時間Ｔｔ＞閾値ＴＦ０］なる放送番組があった場合は（ステップＳ６０５／Ｙｅｓ）、この放送番組についての録画消去をＳＴＢ２００に対して指示する「録画消去コマンド」を生成し、無線部１０２、アンテナ部１０１を介し、ネットワーク３０１を経由してＳＴＢ２００に送信する（ステップＳ６０６）。
【０１０３】
その上で、ＳＴＢ操作コマンド生成・送信部１１３は、ＳＴＢ２００からこの録画消去コマンドの送信に対する受信完了をしたならば、視聴状況記録テーブル１０６ＥＰに視聴状況が記録されている放送番組のエントリＥＰの中から、この視聴が完了した又は完了しているものとのみなされる放送番組のエントリＥＰについて、各項目Ｉｔ０〜Ｉｔ４毎の記録内容を削除して（ステップＳ６０７）、当該エントリＥＰを未使用（「ｎ／ａ」）状態に戻し、今回のコマンド生成・送信処理を終了する。
【０１０４】
なお、ＳＴＢ操作コマンド生成・送信部１１３は、上述したステップＳ６０５の判定で、放送終了している放送番組の総視聴時間Ｔｔが、番組毎に一律又は対応して設定された閾値ＴＦ０未満だった場合は（ステップＳ６０５／Ｎｏ）、ステップＳ６０６で述べた「録画消去コマンド」をＳＴＢ２００に送信することなく、視聴状況記録テーブル１０６ＥＰに視聴状況が記録されている放送終了した放送番組のエントリＥＰについて、各項目Ｉｔ０〜Ｉｔ４毎の記録内容を削除して（ステップＳ６０７）、当該エントリＥＰを未使用（「ｎ／ａ」）状態に戻し、今回のコマンド生成・送信処理を終了する。
【０１０５】
これにより、既に放送終了している放送番組について、その総視聴時間Ｔｔが閾値ＴＦ１より大きく閾値ＴＦ０以下の放送番組については、総視聴時間Ｔｔが閾値ＴＦ１を経過した時点からその放送番組の終了までの内容（シーン）がＳＴＢ２００によって録画されて、放送終了後も自動的に消去されることなく記録保持されることになる。これにより、ユーザは、放送終了後であっても、ＳＴＢ２００のメモリ部２０６に記録保持されたこの放送番組の閾値ＴＦ１を経過した時点からその放送番組の終了までの録画内容（シーン）を、所望のときに適宜再生して視聴することができる。
【０１０６】
なお、その再生視聴の仕方自体については、例えば、この携帯端末１００を用いてＳＴＢ２００から再生データをストリーミングデータとして受け、その表示部１０５で視聴するようにしたり、ＳＴＢ２００に別途接続された図示せぬ表示装置を用いて視聴するようにしたり等、そのための構成及び方法自体は限られるものではないので、その詳細な説明は省略する。
【０１０７】
したがって、以上の説明より、本実施例の携帯端末１００によるＳＴＢ２００に対しての放送番組自動記録制御方法によれば、総視聴時間Ｔｔが閾値ＴＦ１以下の放送番組は、ユーザは当該放送番組を視聴する意志がないものとみなされ、当該放送番組はＳＴＢ２００に録画されない。
【０１０８】
これにより、ユーザが頻繁にチャネルを切り替えた場合であっても、総視聴時間Ｔｔが閾値ＴＦ１以下の放送番組については、携帯端末１００から「録画開始コマンド」がＳＴＢ２００に送信されることはないため、無意味な通信や録画を行うことを抑制できる。
【０１０９】
また、総視聴時間Ｔｔが閾値ＴＦ１を超えた放送番組は、当該放送番組の視聴意志はあるが、何らかの事情で充分に視聴できなくなるおそれもあるとして、携帯端末１００からの「録画開始コマンド」に基づくＳＴＢ２００の録画動作によって、総視聴時間Ｔｔが閾値ＴＦ１を超えた時点から番組の終わりまで録画されて残る。
【０１１０】
これにより、ユーザは、その後に、ＳＴＢ２００のメモリ部２０６に録画された放送番組を再生することで、視聴できなかった部分についても後で見ることができる。
【０１１１】
そして、総視聴時間Ｔｔが閾値ＴＦ０を超えた放送番組は、携帯端末１００からの「録画開始コマンド」に基づくＳＴＢ２００の録画動作によって、総視聴時間Ｔｔが閾値ＴＦ１を超えた時点から当該放送番組の終わりまで一旦録画されるものの、当該放送番組は概ね視聴できたとみなされ、消去されることとなる。
【０１１２】
したがって、本実施例に記載の携帯端末１００、及び携帯端末１００を用いた放送番組自動記録制御方法によれば、携帯端末１００で放送番組を視聴中、ユーザに視聴意志がある放送番組を全てをＳＴＢ２００で一旦自動録画することで、不測の事態により視聴が困難になった場合でも、後で一連に再生することができ、重要なシーンの見逃し頻度を低減できるようになる。
【０１１３】
また、不測の事態が発生せず、放送番組全体を概ね視聴できた場合には、ＳＴＢ２００に一旦自動録画した放送番組を自動消去することで、ユーザにとって不要なデータをユーザの手を煩わせることなく適切に廃棄することができるようになる。
【実施例２】
【０１１４】
次に、本実施の形態の携帯端末１００によるＳＴＢ２００に対しての放送番組自動記録制御方法の第２の実施例について、図５及び図８に基づいて説明する。
【０１１５】
本実施の形態の携帯端末における視聴状況検出部による視聴状況記録処理については、第１の実施例において図５に基づき説明した具体的な処理内容と変わりないので、その説明は省略する。
【０１１６】
図８は、本実施の形態の携帯端末におけるＳＴＢ操作コマンド生成・送信部によるＳＴＢに対するコマンド生成・送信処理のフローチャートである。
【０１１７】
携帯端末１００の制御部１１０においては、所定の時間間隔ＩＧ１で、ＳＴＢ操作コマンド生成・送信部１１３による図８に示すコマンド生成・送信処理が実行される。
【０１１８】
なお、このＳＴＢ操作コマンド生成・送信部１１３によるコマンド生成・送信処理を実行するための上述した所定の時間間隔ＩＧ１は、必ずしも相互に同一時間間隔である必要はなく、例えば、前述した第１の実施例の所定の時間間隔ＩＦ０の場合と同様に、この所定の時間間隔ＩＧ１自体が適当な時間範囲を有していてもよい。
【０１１９】
ＳＴＢ操作コマンド生成・送信部１１３は、このコマンド生成・送信処理の開始後、メモリ部１０６の視聴状況記録テーブル１０６ＥＰに視聴状況が記録されている放送番組の中に、既に放送終了している放送番組があるか否かを、メモリ部１０６の最新更新時間記録エリア１０６ＴＰに記録されている最新更新時間Ｔｐと、視聴状況記録テーブル１０６ＥＰに記録されている放送時間（放送開始・終了時刻）Ｔｓとを基に判定する（ステップＳ８０１）。
【０１２０】
ＳＴＢ操作コマンド生成・送信部１１３は、視聴状況記録テーブル１０６ＥＰに視聴状況が記録されている放送番組の中に、既に放送終了している番組が無かった場合は（ステップＳ８０１／Ｎｏ）、その視聴状況が記録されている放送番組の中で最も総視聴時間Ｔｔが長い放送番組（以下、主視聴番組と称する）の総視聴時間Ｔｔが、所定の閾値ＴＧ１を超えているか否かを判定する（ステップＳ８０２）。
【０１２１】
なお、この所定の閾値ＴＧ１が示す時間の大きさは、本実施例の場合は、ユーザが視聴する放送番組を選択するに当たり、その視聴する放送番組の選択が終了したことを推定できる時間の大きさであり、具体的には視聴する放送番組の選択のためにユーザが操作部１０７を操作して受信チャネルを切り替える際のチャネル切り替えインターバルよりも長い時間である。この所定の閾値ＴＧ１が示す時間の大きさは、ユーザが操作部１０７を操作して任意に設定できるようにしてもよい。
【０１２２】
ＳＴＢ操作コマンド生成・送信部１１３は、視聴状況記録テーブル１０６ＥＰに視聴状況が記録されている放送番組の中に、［総視聴時間Ｔｔ＞閾値ＴＧ１］なる主視聴番組がなかった場合は（ステップＳ８０２／Ｎｏ）、今回のコマンド生成・送信処理を終了する。
【０１２３】
これに対し、ＳＴＢ操作コマンド生成・送信部１１３は、視聴状況記録テーブル１０６ＥＰに視聴状況が記録されている放送番組の中に、［総視聴時間Ｔｔ＞閾値ＴＧ１］なる主視聴番組があった場合は（ステップＳ８０２／Ｙｅｓ）、携帯端末１００から既に送信した「録画開始コマンド」に基づき、現在ＳＴＢ２００が、この主視聴番組をも含む視聴状況記録テーブル１０６ＥＰに視聴状況が記録されているいずれかの放送番組について、録画作動中であるか否かを判定する（ステップＳ８０３）。
【０１２４】
この現在前記ＳＴＢで録画作動中であるか否かの判定は、視聴状況記録テーブル１０６ＥＰに視聴状況が記録されている放送番組の中のいずれかについて、「録画開始コマンド」が送信済みであるか否かを、例えばＳＴＢ操作コマンド生成・送信部１１３自身の生成・送信履歴等に基づいて判定する。
【０１２５】
ＳＴＢ操作コマンド生成・送信部１１３は、このステップＳ８０３の判定で、現在、ＳＴＢ２００が録画作動中であれば（ステップＳ８０３／Ｙｅｓ）、その録画中の番組が前述の主視聴番組であるか否かを判定する（ステップＳ８０４）。
【０１２６】
このＳＴＢ２００が現在録画中の放送番組が主視聴番組であるか、又はこの主視聴番組以外の視聴状況記録テーブル１０６ＥＰに視聴状況が記録されている放送番組であるかの判定は、例えば、メモリ部１０６内の視聴状況記録テーブル１０６ＥＰとは独立した図示せぬ履歴メモリ等に、主視聴番組に関して「録画開始コマンド」が送信済みであることが記録されているか否かに基づき、ＳＴＢ操作コマンド生成・送信部１１３が行う。
【０１２７】
そして、ＳＴＢ操作コマンド生成・送信部１１３は、このステップＳ８０４の判定で、主視聴番組に関して「録画開始コマンド」が送信済みであり、現在ＳＴＢ２００がこの主視聴番組を録画中であると判定された場合は（ステップＳ８０４／Ｙｅｓ）、今回のコマンド生成・送信処理を終了する。すなわち、この場合、ＳＴＢ２００では、その後も、主視聴番組の録画が引続き実行されることになる。
【０１２８】
これに対して、このステップＳ８０４の判定で、主視聴番組に関して「録画開始コマンド」が未送信であり、現在ＳＴＢ２００がこの主視聴番組以外の放送番組を録画中であると判定された場合は（ステップＳ８０４／Ｎｏ）、ＳＴＢ操作コマンド生成・送信部１１３は、この主視聴番組以外の視聴状況記録テーブル１０６ＥＰに視聴状況が記録されている「録画開始コマンド」が送信済みの放送番組に関しての「録画停止コマンド」を生成して、無線部１０２、アンテナ部１０１を介し、ネットワーク３０１を経由してＳＴＢ２００に送信する（ステップＳ８０５）。そして、ＳＴＢ操作コマンド生成・送信部１１３は、ＳＴＢ２００からこの「録画消去コマンド」の送信に対する受信完了を受信したならば、メモリ部１０６内の視聴状況記録テーブル１０６ＥＰとは独立した図示せぬ履歴メモリ等に、この「録画停止コマンド」を送信した主視聴番組以外の放送番組について、その「録画開始コマンド」の送信済みの記録を消去して、未送信の記録にリセットする。
【０１２９】
そして、ＳＴＢ操作コマンド生成・送信部１１３は、上記ステップＳ８０５に示した処理によって、今まで主視聴番組以外の放送番組について録画中であったＳＴＢ２００の録画作動を一旦停止させた後、今度は主視聴番組について、前述した「チャネル番号を特定する情報（チャネル番号そのものや番組そのものを特定する番組ＩＤ等）」、「録画終了時刻を特定する情報（録画終了時刻そのものや上述した番組ＩＤ等）」、「録画開始の指示」からなる情報・指示を含む「録画開始コマンド」を生成し、無線部１０２、アンテナ部１０１を介し、ネットワーク３０１を経由してＳＴＢ２００に送信する（ステップＳ８０６）。
【０１３０】
そして、ＳＴＢ操作コマンド生成・送信部１１３は、ＳＴＢ２００からこの「録画開始コマンド」の送信に対する受信完了を受信したならば、メモリ部１０６内の視聴状況記録テーブル１０６ＥＰとは独立した図示せぬ履歴メモリ等に、今度はこの主視聴番組について「録画開始コマンド」の送信済みであることを記録し、今回のコマンド生成・送信処理を終了する。これにより、ＳＴＢ２００では、今までの主視聴番組以外の放送番組の録画に替えて、主視聴番組の録画が開始されることになる。
【０１３１】
一方、前述したステップＳ８０３の判定で、現在ＳＴＢ２００で録画作動中でなければ、ＳＴＢ操作コマンド生成・送信部１１３は、前述したステップＳ８０４，Ｓ８０５に示した処理を行う必要なく、主視聴番組について、前述した「チャネル番号を特定する情報（チャネル番号そのものや番組そのものを特定する番組ＩＤ等）」、「録画終了時刻を特定する情報（録画終了時刻そのものや上述した番組ＩＤ等）」、「録画開始の指示」からなる情報・指示を含む「録画開始コマンド」を生成し、無線部１０２、アンテナ部１０１を介し、ネットワーク３０１を経由してＳＴＢ２００に送信する（ステップＳ８０６）。そして、ＳＴＢ操作コマンド生成・送信部１１３は、メモリ部１０６内の視聴状況記録テーブル１０６ＥＰとは独立した図示せぬ履歴メモリ等に、この主視聴番組について同様に「録画開始コマンド」が送信済みであることを記録した上で、今回のコマンド生成・送信処理を終了する。これにより、ＳＴＢ２００では、主視聴番組の録画が開始されることになる。
【０１３２】
なお、上記においては、ＳＴＢ操作コマンド生成・送信部１１３は、「録画開始コマンド」の最新生成・送信情報を、メモリ部１０６内の視聴状況記録テーブル１０６ＥＰとは独立した図示せぬ履歴メモリ等に記録しておく構成としたが、これに代えて、メモリ部１０６内の視聴状況記録テーブル１０６ＥＰの各エントリＥＰに対応させて「録画開始コマンド」が送信済であるか否かを記録するための送信済記録欄を追加項目として設けて、最新に「録画開始コマンド」を生成・送信した放送番組をこの送信済記録欄を利用して記録しておく構成としてもよい。
【０１３３】
一方、ＳＴＢ操作コマンド生成・送信部１１３は、前述したステップＳ８０１の判定で、視聴状況記録テーブル１０６ＥＰに視聴状況が記録されている放送番組の中に、放送終了している放送番組があった場合は（ステップＳ８０１／Ｙｅｓ）、その総視聴時間Ｔｔが、前述した所定の閾値ＴＧ１よりも大きな所定の閾値ＴＧ０を超えている放送番組があるか否かを判定する（ステップＳ８０７）。
【０１３４】
ここで、所定の閾値ＴＧ０それぞれが示す時間について説明しておく。この所定の閾値ＴＧ０は、ユーザが前述した視聴する放送番組の選択を終え、この選択した放送番組についての視聴が完了したことを推定できる時間の大きさであり、具体的には、前述した所定の閾値ＴＧ１に比して十分長い時間である。この所定の閾値ＴＧ０が示す時間の大きさは、ユーザが操作部１０７を操作して一律かつ任意に設定できるようにしてもよいし、ユーザが視聴する放送番組の選択後に、制御部１１０内に図示省略して設けられた閾値設定部が、視聴状況記録テーブル１０６ＥＰに記録されている当該番組の「放送時間（放送開始・終了時刻）」Ｔｓに対応させて、放送番組毎に個別に、自動設定するように構成することもできる。具体的には、この放送番組毎の所定の閾値ＴＧ０は、「放送時間（放送開始・終了時刻）」Ｔｓから求められる番組視聴所要時間であってもよいし、又この番組視聴所要時間に“１”より小さな所定割合を乗算した時間であってもよい。
【０１３５】
ＳＴＢ操作コマンド生成・送信部１１３は、視聴状況記録テーブル１０６ＥＰに視聴状況が記録されている放送番組の中に、［総視聴時間Ｔｔ＞閾値ＴＧ０］なる放送番組があった場合は（ステップＳ８０７／Ｙｅｓ）、この番組についての録画消去をＳＴＢ２００に対して指示する「録画消去コマンド」を生成し、無線部１０２、アンテナ部１０１を介し、ネットワーク３０１を経由してＳＴＢ２００に送信する（ステップＳ８０８）。
【０１３６】
その上で、ＳＴＢ操作コマンド生成・送信部１１３は、ＳＴＢ２００からこの録画消去コマンドの送信に対する受信完了をしたならば、視聴状況記録テーブル１０６ＥＰに視聴状況が記録されている放送番組のエントリＥＰの中から、この視聴が完了した又は完了しているものとのみなされる放送番組のエントリＥＰについて、各項目Ｉｔ０〜Ｉｔ４毎の記録内容を削除して（ステップＳ８０９）、当該エントリＥＰを未使用（「ｎ／ａ」）状態に戻し、今回のコマンド生成・送信処理を終了する。
【０１３７】
なお、ＳＴＢ操作コマンド生成・送信部１１３は、上述したステップＳ８０７の判定で、放送終了している放送番組の総視聴時間Ｔｔが、番組毎に一律又は対応して設定された閾値ＴＧ０未満だった場合は（ステップＳ８０５／Ｎｏ）、ステップＳ８０８で述べた「録画消去コマンド」をＳＴＢ２００に送信することなく、視聴状況記録テーブル１０６ＥＰに視聴状況が記録されている放送終了した放送番組のエントリＥＰについて、各項目Ｉｔ０〜Ｉｔ４毎の記録内容を削除して（ステップＳ８０９）、当該エントリＥＰを未使用（「ｎ／ａ」）状態に戻し、今回のコマンド生成・送信処理を終了する。
【０１３８】
これにより、既に放送終了している放送番組について、その総視聴時間Ｔｔが閾値ＴＧ１より大きく閾値ＴＧ０以下の放送番組については、総視聴時間Ｔｔが閾値ＴＧ１を経過した時点からその放送番組の終了までの内容（シーン）、又は総視聴時間Ｔｔが閾値ＴＧ１を経過した時点から前述のステップＳ８０５による録画停止までの内容（シーン）がＳＴＢ２００によって録画されて、放送終了後も自動的に消去されることなく記録保持されることになる。これにより、ユーザは、放送終了後であっても、ＳＴＢ２００のメモリ部２０６に記録保持されたこれら放送番組の録画内容（シーン）を、所望のときに適宜再生して視聴することができる。
【０１３９】
なお、その再生視聴の仕方自体については、第１の実施例の場合と同様に、そのための構成及び方法自体は限られるものではないので、その詳細な説明は省略する。
【０１４０】
したがって、以上の説明より、本実施例の携帯端末１００によるＳＴＢ２００に対しての放送番組自動記録制御方法によれば、総視聴時間Ｔｔが閾値ＴＧ１以下の放送番組は、ユーザは当該放送番組を視聴する意志がないものとみなされ、当該放送番組はＳＴＢ２００に録画されない。
【０１４１】
これにより、ユーザが頻繁にチャネルを切り替えた場合であっても、総視聴時間Ｔｔが閾値ＴＧ１以下の放送番組については、携帯端末１００から「録画開始コマンド」がＳＴＢ２００に送信されることはないため、無意味な通信や録画を行うことを抑制できる等、前述した第１の実施例の場合と同様な効果を奏する。
【０１４２】
加えて、本実施例の携帯端末１００によるＳＴＢ２００に対しての放送番組自動記録制御方法によれば、総視聴時間Ｔｔが閾値ＴＧ１を超えた放送番組は、当該放送番組の視聴意志はあるが、何らかの事情で充分に視聴できなかったとみなされ、携帯端末１００からの「録画開始コマンド」に基づくＳＴＢ２００の録画動作によって、総視聴時間Ｔｔが閾値ＴＧ１を超えた時点から録画される。そして、この場合、視聴している放送番組が終了していなくとも、その後ユーザの意思によって視聴する放送番組の変更がなされた場合であっても、前述したステップＳ８０５による録画停止、すなわち視聴変更した放送番組の視聴時間がそれ以前に視聴していた放送番組の視聴時間を超えるまで、元の視聴していた放送番組についてのＳＴＢ２００による記録（録画）が引続き行われている。
【０１４３】
したがって、ユーザが本来視聴したい放送番組の途中に、やむを得ず何らかの理由で他の放送番組を所定の時間ＴＧ１以上視聴し続けなければならない場合であっても、他の放送番組の総視聴時間Ｔｔが本来視聴したかった放送番組の総視聴時間Ｔｔを超えない限りは、本来視聴したい放送番組がＳＴＢ２００によって記録（録画）され続けることになり、本来視聴したい放送番組を見逃すことを極力防止できる。
【実施例３】
【０１４４】
次に、本実施の形態の携帯端末１００によるＳＴＢ２００に対しての放送番組自動記録制御方法の第３の実施例について説明する。
【０１４５】
本実施例は、図６により説明した第１の実施例、又は図８により説明した第２の実施例ＳＴＢに対するコマンド生成・送信処理に係り、第１の実施例のステップＳ６０５〜Ｓ６０７、又は第２の実施例のステップＳ８０７〜Ｓ８０９でそれぞれ説明した、ＳＴＢ２００で自動記録（自動録画）した放送番組についての携帯端末１００による自動消去処理部分、すなわち放送番組（すなわち録画番組）の自動消去処理方法についての変形例である。
【０１４６】
したがって、第１の実施例のステップＳ６０１〜Ｓ６０４、又は前述の第２の実施例におけるステップＳ８０１〜Ｓ８０６でそれぞれ説明した、携帯端末１００によるＳＴＢ２００に対しての自動記録（自動録画）処理部分については、本実施例にも適用可能であることは変わらないので、これについては、その説明を省略する。
【０１４７】
さらに、本実施例の放送番組自動記録制御方法における放送番組の自動消去処理方法は、ユーザが、予め携帯端末１００の操作部１０７から視聴の可能性のある放送番組の録画予約したり、これから視聴する放送番組を操作部１０７からマニュアルで録画設定したり等して、携帯端末１００からＳＴＢ２００に対してこれら操作に基づくＳＴＢ操作コマンドが送信され、ＳＴＢ２００で当該ＳＴＢ操作コマンドに基づき記録（録画）された放送番組の自動消去にも、適用可能である。
【０１４８】
この場合、携帯端末１００では、制御部１１０の視聴状況検出部１１２は、操作部１０７から録画予約やマニュアル録画設定の指示がなされた際に、図７で説明したメモリ部１０６の視聴状況記録テーブル１０６ＥＰに、これら録画予約やマニュアル録画設定の対象となった放送番組についてのエントリＥＰを生成する。
【０１４９】
また、制御部１１０のＳＴＢ操作コマンド生成・送信部１１３は、この視聴状況検出部１１２による視聴状況記録テーブル１０６ＥＰのエントリＥＰの生成に基づき、「録画予約コマンド」やマニュアル録画設定による「マニュアル録画開始コマンド」を生成して、無線部１０２、アンテナ部１０１を介し、ネットワーク３０１を経由してＳＴＢ２００に送信する。
【０１５０】
そして、ＳＴＢ操作コマンド生成・送信部１１３は、ＳＴＢ２００からの「受信完了信号」の受信に基づき、この「録画予約コマンド」や「マニュアル録画開始コマンド」の生成・送信情報を、メモリ部１０６内の視聴状況記録テーブル１０６ＥＰとは独立した図示せぬ履歴メモリ等に記録したり、又はメモリ部１０６内の視聴状況記録テーブル１０６ＥＰの各エントリＥＰに対応させて「録画予約コマンド」や「マニュアル録画開始コマンド」が送信済であるか否かを記録するための送信済記録欄を追加項目として設けて、この送信済記録欄を利用して記録するようになっている。
【０１５１】
次に、本実施例の放送番組自動記録制御方法としてのＳＴＢ２００に記録された放送番組の自動消去処理方法について、図５及び図９に基づいて説明する。
【０１５２】
本実施の形態の携帯端末における視聴状況検出部による視聴状況記録処理については、第１の実施例において図５に基づき説明した具体的な処理内容と変わりないので、その説明は省略する。
【０１５３】
図９は、この放送番組の自動消去処理方法に関係して、本実施の形態の携帯端末におけるＳＴＢ操作コマンド生成・送信部が行うコマンド生成・送信処理のフローチャートである。
【０１５４】
携帯端末１００の制御部１１０においては、所定の時間間隔ＩＩ１で、ＳＴＢ操作コマンド生成・送信部１１３による図９に示すコマンド生成・送信処理が実行される。
【０１５５】
なお、このＳＴＢ操作コマンド生成・送信部１１３によるコマンド生成・送信処理を実行するための上述した所定の時間間隔ＩＩ１は、必ずしも相互に同一時間間隔である必要はなく、例えば、前述した第１の実施例の所定の時間間隔ＩＦ０の場合と同様に、この所定の時間間隔ＩＩ１自体が適当な時間範囲を有していてもよい。
【０１５６】
ＳＴＢ操作コマンド生成・送信部１１３は、このコマンド生成・送信処理の開始後、メモリ部１０６の視聴状況記録テーブル１０６ＥＰに視聴状況が記録されている放送番組の中に、既に放送終了している放送番組があるか否かを、メモリ部１０６の最新更新時間記録エリア１０６ＴＰに記録されている最新更新時間Ｔｐと、視聴状況記録テーブル１０６ＥＰに記録されている放送時間（放送開始・終了時刻）Ｔｓとを基に判定する（ステップＳ９０１）。
【０１５７】
ＳＴＢ操作コマンド生成・送信部１１３は、視聴状況記録テーブル１０６ＥＰに視聴状況が記録されている放送番組の中に、既に放送終了している番組が無かった場合は（ステップＳ９０１／Ｎｏ）、今回のコマンド生成・送信処理を終了する。なお、ここでは説明省略するが、既に放送終了している番組が無かった場合（ステップＳ９０１／Ｎｏ）に、前述したように第１の実施例のステップＳ６０２〜Ｓ６０４、又は前述の第２の実施例におけるステップＳ８０２〜Ｓ８０６で示したと同様の処理を行ってから、今回のコマンド生成・送信処理を終了するようにしてもよい。
【０１５８】
一方、ＳＴＢ操作コマンド生成・送信部１１３は、前述したステップＳ９０１の判定で、視聴状況記録テーブル１０６ＥＰに視聴状況が記録されている放送番組の中に、放送終了している放送番組があった場合は（ステップＳ９０１／Ｙｅｓ）、その総視聴時間Ｔｔが、前述した所定の閾値ＴＩ０を超え、かつ、ＳＴＢ２００で録画された放送番組があるか否かを判定する（ステップＳ９０２）。
【０１５９】
ここで、所定の閾値ＴＩ０は、ユーザが前述した視聴する放送番組の選択を終え、この選択した放送番組についての視聴が完了したことを推定できる時間の大きさになっている。また、ＳＴＢ２００で録画された放送番組があるか否かは、ＳＴＢ操作コマンド生成・送信部１１３は、例えば前述した履歴メモリや視聴状況記録テーブル１０６ＥＰの追加項目を参照して、「録画予約コマンド」、「録画開始コマンド」、「マニュアル録画開始コマンド」といったＳＴＢ操作コマンドがＳＴＢ２００に対して送信済であるか否かによって判定する。
【０１６０】
そして、ＳＴＢ操作コマンド生成・送信部１１３は、視聴状況記録テーブル１０６ＥＰに視聴状況が記録されている放送番組の中に、［総視聴時間Ｔｔ＞閾値ＴＩ０］かつＳＴＢ２００で録画された放送番組があった場合は（ステップＳ９０２／Ｙｅｓ）、録画消去の可否を判定する（ステップＳ９０３）。
【０１６１】
この録画消去の可否の判定は、ステップＳ９０２の時点で、該当放送番組があった場合に表示部１０５に番組名、録画消去の可否の入力案内等を表示させ、ユーザに操作部１０７を操作させることによって実現してもよいし、録画予約又はマニュアル録画開始を行う際に予めユーザに操作部１０７から同時に入力させておき、メモリ部１０６の視聴状況記録テーブル１０６ＥＰにおける放送番組のエントリの項目としてこれを追加記憶しておくことで自動的に実現してもよいし、その他任意の方法で実現してもよい。
【０１６２】
このステップＳ９０３で記録（録画）が消去可能と判定された場合（ステップＳ９０３／Ｙｅｓ）は、ＳＴＢ操作コマンド生成・送信部１１３は、この番組についての録画消去をＳＴＢ２００に対して指示する「録画消去コマンド」を生成し、無線部１０２、アンテナ部１０１を介し、ネットワーク３０１を経由してＳＴＢ２００に送信する（ステップＳ９０４）。
【０１６３】
その上で、ＳＴＢ操作コマンド生成・送信部１１３は、ＳＴＢ２００からこの録画消去コマンドの送信に対する受信完了をしたならば、視聴状況記録テーブル１０６ＥＰに視聴状況が記録されている放送番組のエントリＥＰの中から、この視聴が完了した又は完了しているものとのみなされる放送番組のエントリＥＰについて、各項目Ｉｔ０〜Ｉｔ４毎の記録内容を削除して（ステップＳ９０５）、当該エントリＥＰを未使用（「ｎ／ａ」）状態に戻し、今回のコマンド生成・送信処理を終了する。
【０１６４】
一方、総視聴時間が閾値ＴＩ０を超え、かつ、録画された番組が無かった場合（ステップＳ９０２／Ｎｏ）は、ＳＴＢ操作コマンド生成・送信部１１３は、視聴状況記録テーブル１０６ＥＰに視聴状況が記録されている放送終了した放送番組のエントリＥＰについて、各項目Ｉｔ０〜Ｉｔ４毎の記録内容を削除して（ステップＳ９０５）、当該エントリＥＰを未使用（「ｎ／ａ」）状態に戻し、今回のコマンド生成・送信処理を終了する。
【０１６５】
このように本実施例の放送番組自動記録制御方法によれば、ユーザが携帯端末１００を用いてＳＴＢ２００に対し、明示的に録画予約又はマニュアル録画設定を指示しておいた放送番組についても、携帯端末１００で概ね視聴した場合は、自動的にＳＴＢ２００から記録消去（録画消去）することができ、視聴が充分出来なかった場合は、記録消去されずにＳＴＢ２００に残すことができるようになる。
【０１６６】
本実施の形態の携帯端末、携帯端末を用いた放送番組自動記録制御方法は、以上説明したように構成されるが、本実施の形態の放送番組自動記録制御方法は、コンピュータ読み取り可能な記録媒体にプログラムとして記録しておくことにより、放送番組受信視聴機能及び通信機能を備えた可搬型のパーソナルコンピュータやＰＤＡを、本実施の形態の携帯端末１００として機能させることも可能である。また、本実施の形態の携帯端末の具体的構成も上記説明した実施の形態に限るものではない。
さらに、本発明の携帯端末を用いた放送番組自動記録制御方法は、インターネットや公衆無線回線を利用することに限定されるものではなく、家庭内のローカルエリアネットワーク等を利用しても実施可能である。
【図面の簡単な説明】
【０１６７】
【図１】本発明の一実施の形態に係る携帯端末の構成を示したブロック図である。
【図２】本実施の形態の携帯端末とともに放送番組自動記録制御システムを構成するＳＴＢの一実施例の構成を示したブロック図である。
【図３】本実施の形態の携帯端末とともに放送番組自動記録制御システムを構成するＳＴＢの動作フローチャートである。
【図４】本実施の形態の携帯端末を用いた放送番組自動記録制御システムのイメージ図である。
【図５】本実施の形態の携帯端末における視聴状況部による視聴状況記録処理のフローチャートである。
【図６】本実施の形態の携帯端末におけるＳＴＢ操作コマンド生成・送信部によるＳＴＢに対するコマンド生成・送信処理の一実施例のフローチャートである。
【図７】ある時点におけるメモリ部の視聴状況についての記録構成の説明図ある。
【図８】本実施の形態の携帯端末におけるＳＴＢ操作コマンド生成・送信部によるＳＴＢに対するコマンド生成・送信処理の別実施例のフローチャートである。
【図９】放送番組の自動消去処理方法に関係して、本実施の形態の携帯端末におけるＳＴＢ操作コマンド生成・送信部が行うコマンド生成・送信処理のフローチャートである。
【図１０】従来のテレビ放送自動記録システムを構成する携帯端末の構成を示したブロック図である。
【図１１】従来のテレビ放送自動記録システムを構成するＳＴＢの一例の構成を示したブロック図である。
【図１２】従来のテレビ放送自動記録システムにおけるテレビ放送自動記録に関する携帯端末の動作フローチャートである。
【符号の説明】
【０１６８】
１００  携帯端末
１０１  アンテナ部
１０２  無線部
１０３  アンテナ部
１０４  受信部
１０５  表示部
１０６  メモリ部
１０７  操作部
１１０  制御部
１１１  現在時刻供給部
１１２  視聴状況検出部
１１３  ＳＴＢ操作コマンド生成・送信部
２００  ＳＴＢ
２０３  アンテナ部
２０４  受信部
２０６  メモリ部
２０７  操作部
２０８  モデム部
２１０  制御部
３０１，３０２  ネットワーク
４００  放送局
５００  基地局
【図１】
2006101018.tif 000003
【図２】
2006101018.tif 000004
【図３】
2006101018.tif 000005
【図４】
2006101018.tif 000006
【図５】
2006101018.tif 000007
【図６】
2006101018.tif 000008
【図７】
2006101018.tif 000009
【図８】
2006101018.tif 000010
【図９】
2006101018.tif 000011
【図１０】
2006101018.tif 000012
【図１１】
2006101018.tif 000013
【図１２】
2006101018.tif 000014